(57)【要約】【課題】製造コストを節約し、製造工程を単純化することができるとともに、厚さを減少させて薄型化を具現することができるタッチパネルを提供する。【解決手段】本発明によるタッチパネル１００は、第１方向Ａに互いに平行になるように配置された電極パターン１１０を含み、電極パターン１１０には、電極パターン１１０を２分割する開口部１２０が形成され、開口部１２０は、第１方向Ａに対して垂直方向である第２方向Ｂに向かう程、第１方向ＡにＮ回移動する構成１２５がＭ回繰り返されるものである。【選択図】図１
2013089231.tif 000002
【特許請求の範囲】
【請求項１】
第１方向に互いに平行になるように配置された電極パターンを含み、
前記電極パターンには前記電極パターンを２分割する開口部が形成され、
前記開口部は、前記第１方向に対して垂直方向である第２方向に向かう程、前記第１方向にＮ回移動する構成がＭ回繰り返されることを特徴とするタッチパネル。
【請求項２】
前記電極パターンは、
前記開口部を基準に一側に備えられた第１電極パターンと、
前記開口部を基準に他側に備えられた第２電極パターンと、を含み、
前記タッチパネルは、
前記第２方向に向かって順に前記電極パターンのタッチ有無を判断し、
前記第２方向に向かって順に前記第１電極パターンにタッチの入力時のデータ値を「１」と、タッチの非入力時のデータ値を「０」と判断し、左側から右側にＮ個のデータ値からなる第１単位データをＭ個算出し、
前記第２方向に向かって順に前記第２電極パターンにタッチの入力時のデータ値「１」と、タッチの非入力時のデータ値を「０」と判断し、左側から右側にＮ個のデータ値からなる第２単位データをＭ個算出する制御部をさらに含むことを特徴とする請求項１に記載のタッチパネル。
【請求項３】
前記制御部は、
Ｍ個の前記第１単位データとＭ個の前記第２単位データにおいて互いに対応する位置のデータ値のうち少なくとも一つが「１」である場合、データ値を「１」と判断し、全てが「０」である場合、データ値を「０」と判断し、左側から右側にＮ個のデータ値からなる第３単位データをＭ個算出し、
Ｍ個の前記第３単位データのデータ値のうち「１」の中間位置によりタッチの前記第２方向の座標を認識することを特徴とする請求項２に記載のタッチパネル。
【請求項４】
前記制御部は、
それぞれの前記第１単位データにおいて互いに対応する位置のデータ値のうち少なくとも一つが「１」である場合、データ値を「１」と判断し、全てが「０」である場合、データ値を「０」と判断し、左側から右側にＮ個のデータ値からなる第４単位データを算出し、
それぞれの前記第２単位データにおいて互いに対応する位置のデータ値のうち少なくとも一つが「１」である場合、データ値を「１」と判断し、全てが「０」である場合、データ値を「０」と判断し、左側から右側にＮ個のデータ値からなる第５単位データを算出し、
前記第４単位データのデータ値のうち左側から「０」の個数、及び前記第５単位データのデータ値のうち左側から「１」の個数に基づき、タッチの前記第１方向の座標を認識することを特徴とする請求項２に記載のタッチパネル。
【請求項５】
前記制御部は、
前記第４単位データのデータ値のうち左側から「０」の個数に、所定値を加えてＹ１を算出し、前記第５単位データのデータ値のうち左側から「１」の個数に、所定値を加えてＹ２を算出し、前記Ｙ１と前記Ｙ２との平均値により、タッチの前記第１方向の座標を認識することを特徴とする請求項４に記載のタッチパネル。
【請求項６】
前記所定値は、０．５であることを特徴とする請求項５に記載のタッチパネル。
【請求項７】
前記電極パターンは、互いに平行な直線を含むことを特徴とする請求項１に記載のタッチパネル。
【請求項８】
前記電極パターンは、互いに平行な第１直線と、前記第１直線に沿って所定間隔ごとに前記第１直線に対して垂直方向に形成された第２直線と、を含むことを特徴とする請求項１に記載のタッチパネル。
【請求項９】
前記電極パターンは、互いに平行なジグザグ形の線を含むことを特徴とする請求項１に記載のタッチパネル。
【請求項１０】
前記電極パターンは、互いに平行な２個のジグザグ形の線の組み合わせを含むことを特徴とする請求項１に記載のタッチパネル。
【請求項１１】
前記タッチパネルは、
前記透明基板に備えられた制御部と、
前記電極パターンと前記制御部とを連結する電極配線と、をさらに含み、
前記電極パターンは、透明基板に形成されることを特徴とする請求項１に記載のタッチパネル。
【請求項１２】
前記制御部は、
前記電極パターンの一側に備えられた第１制御部と、前記電極パターンの他側に備えられた第２制御部と、を含み、
前記電極配線は、
前記電極パターンの一端と前記第１制御部とを連結する第１電極配線と、前記電極パターンの他端と前記第２制御部とを連結する第２電極配線と、を含むことを特徴とする請求項１１に記載のタッチパネル。
【発明の詳細な説明】
【技術分野】
【０００１】
本発明は、タッチパネルに関する。
【背景技術】
【０００２】
デジタル技術を用いるコンピュータが発達するにつれて、コンピュータの補助装置もともに開発されており、パソコン、ポータブル伝送装置、その他の個人用情報処理装置などは、キーボード、マウスのような様々な入力装置（Ｉｎｐｕｔ  Ｄｅｖｉｃｅ）を利用してテキスト及びグラフィック処理を行う。
【０００３】
しかし、情報化社会の急速な進行により、コンピュータの用途が益々拡大する傾向にあるため、現在入力装置の機能を担当しているキーボード及びマウスだけでは、効率的な製品の駆動が困難であるという問題点がある。従って、簡単で誤操作が少なく、誰でも簡単に情報入力が可能な機器の必要性が高まっている。
【０００４】
また、入力装置に関する技術は、一般的な機能を満たす水準を超えて、高信頼性、耐久性、革新性、設計及び加工に関する技術などが注目されており、このような目的を達成するために、テキスト、グラフィックなどの情報入力が可能な入力装置としてタッチパネル（Ｔｏｕｃｈ  Ｐａｎｅｌ）が開発された。
【０００５】
このようなタッチパネルは、電子手帳、液晶表示装置（Ｌｉｑｕｉｄ  Ｃｒｙｓｔａｌ  Ｄｉｓｐｌａｙ  Ｄｅｖｉｃｅ；ＬＣＤ）、ＰＤＰ（Ｐｌａｓｍａ  Ｄｉｓｐｌａｙ  Ｐａｎｅｌ）、ＥＬ（Ｅｌｅｃｔｒｏｌｕｍｉｎｅｓｃｅｎｃｅ）などの平板ディスプレイ装置及びＣＲＴ（Ｃａｔｈｏｄｅ  Ｒａｙ  Ｔｕｂｅ）のような画像表示装置の表示面に設けられ、ユーザが映像表示装置を見ながら所望の情報を選択するようにするために利用される機器である。
【０００６】
一方、タッチパネルの種類は、抵抗膜方式（Ｒｅｓｉｓｔｉｖｅ  Ｔｙｐｅ）、静電容量方式（Ｃａｐａｃｉｔｉｖｅ  Ｔｙｐｅ）、電磁気方式（Ｅｌｅｃｔｒｏ−Ｍａｇｎｅｔｉｃ  Ｔｙｐｅ）、弾性表面波方式（Ｓｕｒｆａｃｅ  Ａｃｏｕｓｔｉｃ  Ｗａｖｅ  Ｔｙｐｅ；ＳＡＷ  ｔｙｐｅ）及びインフラレッド方式（Ｉｎｆｒａｒｅｄ  Ｔｙｐｅ）に区分される。このような様々な方式のタッチパネルは、信号増幅の問題、解像度の差、設計及び加工技術の難易度、光学的特性、電気的特性、機械的特性、耐環境特性、入力特性、耐久性及び経済性を考慮して電子製品に用いられるが、現在最も広い分野で用いられるものは、抵抗膜方式タッチパネルと静電容量方式タッチパネルである。
【０００７】
しかし、従来技術によるタッチパネルは、タッチの座標を認識するために、必ず２層構造の電極パターンが備えられなければならない。例えば、特許文献１に開示されたように、タッチパネルには互いに直交する形態の第１透明電極パターンと第２透明電極パターンとが備えられる。このように、従来技術によるタッチパネルは、２層構造の電極パターンを備えなければならないため、製造コストが高く、製造工程が複雑なだけでなく、厚さが厚くなりタッチパネルの薄型化を具現できないという問題点が存在する。
【先行技術文献】
【特許文献】
【０００８】
【特許文献１】韓国登録特許第１０−０９２１７０９号公報
【発明の概要】
【発明が解決しようとする課題】
【０００９】
本発明は、前記のような問題点を解決するために導き出されたものであり、本発明の目的は、電極パターンに開口部を適用することにより、電極パターンを単層構造に形成することができるタッチパネルを提供することにある。
【課題を解決するための手段】
【００１０】
本発明の好ましい実施例によるタッチパネルは、第１方向に互いに平行になるように配置された電極パターンを含み、前記電極パターンには前記電極パターンを２分割する開口部が形成され、前記開口部は、前記第１方向に対して垂直方向である第２方向に向かう程、前記第１方向にＮ回移動する構成がＭ回繰り返されることを特徴とする。
【００１１】
前記電極パターンは、前記開口部を基準に一側に備えられた第１電極パターンと、前記開口部を基準に他側に備えられた第２電極パターンと、を含むことを特徴とする。
【００１２】
前記タッチパネルは、前記第２方向に向かって順に前記電極パターンのタッチ有無を判断し、前記第２方向に向かって順に前記第１電極パターンにタッチの入力時のデータ値を「１」と、タッチの非入力時のデータ値を「０」と判断し、左側から右側にＮ個のデータ値からなる第１単位データをＭ個算出し、前記第２方向に向かって順に前記第２電極パターンにタッチの入力時のデータ値を「１」と、タッチの非入力時のデータ値を「０」と判断し、左側から右側にＮ個のデータ値からなる第２単位データをＭ個算出する制御部をさらに含むことを特徴とする。
【００１３】
また、前記制御部は、Ｍ個の前記第１単位データとＭ個の前記第２単位データにおいて互いに対応する位置のデータ値のうち少なくとも一つが「１」である場合、データ値を「１」と判断し、全てが「０」である場合、データ値を「０」と判断し、左側から右側にＮ個のデータ値からなる第３単位データをＭ個算出し、Ｍ個の前記第３単位データのデータ値のうち「１」の中間位置によりタッチの前記第２方向の座標を認識することを特徴とする。
【００１４】
また、前記制御部は、それぞれの前記第１単位データにおいて互いに対応する位置のデータ値のうち少なくとも一つが「１」である場合、データ値を「１」と判断し、全てが「０」である場合、データ値を「０」と判断し、左側から右側にＮ個のデータ値からなる第４単位データを算出し、それぞれの前記第２単位データにおいて互いに対応する位置のデータ値のうち少なくとも一つが「１」である場合、データ値を「１」と判断し、全てが「０」である場合、データ値を「０」と判断し、左側から右側にＮ個のデータ値からなる第５単位データを算出し、前記第４単位データのデータ値のうち左側から「０」の個数、及び前記第５単位データのデータ値のうち左側から「１」の個数に基づき、タッチの前記第１方向の座標を認識することを特徴とする。
【００１５】
また、前記制御部は、前記第４単位データのデータ値のうち左側から「０」の個数に、所定値を加えてＹ１を算出し、前記第５単位データのデータ値のうち左側から「１」の個数に、所定値を加えてＹ２を算出し、前記Ｙ１と前記Ｙ２との平均値によりタッチの前記第１方向の座標を認識することを特徴とする。
【００１６】
また、前記所定値は、０．５であることを特徴とする。
【００１７】
また、前記電極パターンは、互いに平行な直線を含むことを特徴とする。
【００１８】
また、前記電極パターンは、互いに平行な第１直線と、前記第１直線に沿って所定間隔ごとに前記第１直線に対して垂直方向に形成された第２直線と、を含むことを特徴とする。
【００１９】
また、前記電極パターンは、互いに平行なジグザグ形の線を含むことを特徴とする。
【００２０】
また、前記電極パターンは、互いに平行な２個のジグザグ形の線の組み合わせを含むことを特徴とする。
【００２１】
前記タッチパネルは、前記透明基板に備えられた制御部と、前記電極パターンと前記制御部とを連結する電極配線と、をさらに含み、前記電極パターンは、透明基板に形成されることを特徴とする。
【００２２】
また、前記制御部は、前記電極パターンの一側に備えられた第１制御部と、前記電極パターンの他側に備えられた第２制御部と、を含み、前記電極配線は、前記電極パターンの一端と前記第１制御部とを連結する第１電極配線と、前記電極パターンの他端と前記第２制御部とを連結する第２電極配線と、を含むことを特徴とする。
【００２３】
本発明の特徴及び利点は、添付図面に基づいた以下の詳細な説明によってさらに明らかになるであろう。
【００２４】
本発明の詳細な説明に先立ち、本明細書及び特許請求の範囲に用いられた用語や単語は、通常的かつ辞書的な意味に解釈されてはならず、発明者が自らの発明を最善の方法で説明するために用語の概念を適切に定義することができるという原則にしたがって本発明の技術的思想にかなう意味と概念に解釈されるべきである。
【発明の効果】
【００２５】
本発明によると、電極パターンに開口部を適用して、電極パターンを単層構造に形成することができ、それによりタッチパネルの製造コストを節約することができ、製造工程を単純化することができるという長所がある。
【００２６】
また、本発明によると、電極パターンを単層構造に形成することにより、厚さを減少させてタッチパネルの薄型化を具現することができるという効果がある。
【図面の簡単な説明】
【００２７】
【図１】本発明の好ましい実施例によるタッチパネルの平面図である。
【図２】本発明の好ましい実施例によるタッチパネルの平面図である。
【図３Ａ】図１に図示された電極パターンの変形例を拡大した平面図である。
【図３Ｂ】図１に図示された電極パターンの変形例を拡大した平面図である。
【図３Ｃ】図１に図示された電極パターンの変形例を拡大した平面図である。
【図４】本発明の好ましい実施例によるタッチパネルがタッチの座標を認識する過程を図示した平面図である。
【図５Ａ】本発明の好ましい実施例によるタッチパネルがタッチの座標を認識する過程をさらに図示した平面図である。
【図５Ｂ】本発明の好ましい実施例によるタッチパネルがタッチの座標を認識する過程をさらに図示した平面図である。
【図５Ｃ】本発明の好ましい実施例によるタッチパネルがタッチの座標を認識する過程をさらに図示した平面図である。
【発明を実施するための形態】
【００２８】
本発明の目的、特定の長所及び新規の特徴は、添付図面に係る以下の詳細な説明及び好ましい実施例によってさらに明らかになるであろう。本明細書において、各図面の構成要素に参照番号を付け加えるに際し、同一の構成要素に限っては、たとえ異なる図面に示されても、できるだけ同一の番号を付けるようにしていることに留意しなければならない。また、「第１」、「第２」などの用語は、一つの構成要素を他の構成要素と区分するために用いられるものであって、構成要素が前記用語により制限されるものではない。また、本発明を説明するにあたり、係わる公知技術についての具体的な説明が本発明の要旨を不明瞭にする可能性があると判断される場合は、その詳細な説明を省略する。
【００２９】
以下、添付の図面を参照して、本発明の好ましい実施例を詳細に説明する。
【００３０】
図１及び図２は、本発明の好ましい実施例によるタッチパネルの平面図である。
【００３１】
図１及び図２に図示されたように、本実施例によるタッチパネル１００は、第１方向Ａに互いに平行になるように配置された電極パターン１１０を含み、電極パターン１１０には電極パターン１１０を２分割する開口部１２０が形成され、開口部１２０は第１方向Ａに対して垂直方向である第２方向Ｂに向かう程、第１方向ＡにＮ回移動する構成１２５がＭ回繰り返されることを特徴とする。
【００３２】
前記電極パターン１１０は、ユーザがタッチする際に信号を発生して制御部１４０で座標を認識できるようにする機能を有するものであって、第１方向Ａに互いに平行になるように配置される。ここで、電極パターン１１０は、銅（Ｃｕ）、アルミニウム（Ａl）、金（Ａｕ）、銀（Ａｇ）、チタン（Ｔｉ）、パラジウム（Ｐｄ）、クロム（Ｃｒ）またはこれらの組み合わせを利用して形成することができる。具体的に、電極パターン１１０は、電気伝導度の高い銅（Ｃｕ）、アルミニウム（Ａｌ）、金（Ａｕ）、銀（Ａｇ）を利用して形成することが好ましいが、電気伝導度を有した全ての金属を利用することができることは言うまでもない。また、電極パターン１１０を銅（Ｃｕ）で形成する場合、電極パターン１１０の表面には黒化処理を施すことが好ましい。ここで、黒化処理とは、電極パターン１１０の表面を酸化させてＣｕ２ＯまたはＣｕＯを析出することを意味し、Ｃｕ２Ｏは茶色を帯びるため、ブラウンオキサイド（Ｂｒｏｗｎ  Ｏｘｉｄｅ）と称し、ＣｕＯは黒色を帯びるため、ブラックオキサイド（Ｂｌａｃｋ  Ｏｘｉｄｅ）と称する。電極パターン１１０の表面に黒化処理を施すことにより、光が電極パターンに反射することを防止することができ、それによって、タッチパネル１００の視認性を向上できるという長所を有する。一方、電極パターン１１０は、前記金属の他にも、銀塩乳剤層を露光・現像して形成した銀、ＩＴＯ（Ｉｎｄｉｕｍ  Ｔｉｎ  ｏｘｉｄｅ）などの金属酸化物や、柔軟性に優れ、コーティング工程が単純なＰＥＤＯＴ／ＰＳＳなどの伝導性高分子を利用して形成することもできる。
【００３３】
また、電極パターン１１０は、基本的に第１方向Ａに互いに平行な直線１１６で構成される。それだけでなく、静電容量を増加させてタッチパネル１００の感度を向上させるために、図３Ａに図示されたように、電極パターン１１０は、第１方向Ａに互いに平行な第１直線１１７と、第１直線１１７に沿って所定間隔ごとに第１直線１１７に対して垂直方向に形成された第２直線１１８と、で構成することができる。または、図３Ｂまたは図３Ｃに図示されたように、電極パターン１１０は、互いに平行なジグザグ（Ｚｉｇｚａｇ）形の線１１９で構成したり（図３Ｂ参照）、互いに平行な２個のジグザグ形の線１１９の組み合わせにより構成することができる（図３Ｃ参照）。
【００３４】
一方、電極パターン１１０には、開口部１２０が形成される（図１及び図２参照）。ここで、開口部１２０は、電極パターン１１０を２分割するものであって、第２方向Ｂ（第１方向Ａに対して垂直方向）に向かう程、第１方向ＡにＮ回移動され、このような構成１２５がＭ回繰り返される。例えば、図１に図示されたように、開口部１２０は、第２方向Ｂに向かう程、第１方向Ａに５回移動される構成１２５が３回繰り返される。従って、開口部１２０の位置は、第２方向Ｂを基準に５個の単位で繰り返され、Ａ番目の開口部１２０は、Ａ＋５番目の開口部１２０と第１方向Ａの座標が同一である。このような開口部１２０の構成１２５は、タッチの第１方向Ａの座標を認識するためのものであり、開口部１２０が第１方向Ａに移動される間隔は一定に設定することができ、具体的な説明は後述する。
【００３５】
また、電極パターン１１０は、透明基板１３０に形成される。ここで、透明基板１３０は、電極パターン１１０を支持できる支持力と、画像表示装置で提供する画像をユーザが認識できるようにする透明性を備えなければならない。前記支持力と透明性を考慮すると、透明基板１３０は、ポリエチレンテレフタレート（ＰＥＴ）、ポリカーボネート（ＰＣ）、ポリメチルメタクリレート（ＰＭＭＡ）、ポリエチレンナフタレート（ＰＥＮ）、ポリエーテルスルフォン（ＰＥＳ）、環状オレフィンコポリマー（ＣＯＣ）、トリアセチルセルロース（Ｔｒｉａｃｅｔｙｌｃｅｌｌｕｌｏｓｅ；ＴＡＣ）フィルム、ポリビニルアルコール（Ｐｏｌｙｖｉｎｙｌ  ａｌｃｏｈｏｌ；ＰＶＡ）フィルム、ポリイミド（Ｐｏｌｙｉｍｉｄｅ；ＰＩ）フィルム、ポリスチレン（Ｐｏｌｙｓｔｙｒｅｎｅ；ＰＳ）、二軸延伸ポリスチレン（Ｋ樹脂含有ｂｉａｘｉａｌｌｙ  ｏｒｉｅｎｔｅｄ  ＰＳ；ＢＯＰＳ）、ガラスまたは強化ガラスなどで形成するのが好ましいが、必ずしもこれに限定されるものではない。
【００３６】
一方、電極パターン１１０は、電極配線１５０を介して制御部１４０の一種であるコントローラ（Ｃｏｎｔｒｏｌｌｅｒ）に連結される。ここで、制御部１４０は、透明基板１３０のほかに別途に備えられてフレキシブルプリントケーブル（ＦＰＣ）により電極パターンに連結されるだけでなく、図１に図示されたように、透明基板１３０上に備えることもできる。制御部１４０を透明基板１３０に備える場合、制御部１４０は、ワイヤボンディング（Ｗｉｒｅ  Ｂｏｎｄｉｎｇ）方式やＢＧＡ（Ｂａｌｌ  Ｇｒｉｄ  Ａｒｒａｙ）方式により電極配線１５０に連結することができる。より具体的に説明すると、図１に図示されたように、制御部１４０は、電極パターン１１０の一側に備えられた第１制御部１４３と、電極パターン１１０の他側に備えられた第２制御部１４５とを含むことができる。この場合、電極配線１５０は、電極パターン１１０の一端と第１制御部１４３とを連結する第１電極配線１５３と、電極パターン１１０の他端と第２制御部１４５とを連結する第２電極配線１５５とを含むことができる。このように、第１制御部１４３と第２制御部１４５が電極パターン１１０の両側に配置され、電極配線１５０を介して第１制御部１４３と第２制御部１４５を電極パターン１１０の両端にそれぞれ連結することにより、電極配線１５０を電極パターン１１０の左右側に延長する必要がない。従って、電極パターン１１０左右側のベゼル領域（Ｂｅｚｅｌ  Ａｒｅａ）を最小化することができる長所が存在する。但し、第１制御部１４３と第２制御部１４５が電極パターン１１０の両側に配置されることは例示に過ぎないため、本発明の権利範囲はこれに限定されず、図２に図示されたように、制御部１４０が１個のみ備えることもできることは言うまでもない。
【００３７】
図４は、本発明の好ましい実施例によるタッチパネルがタッチの座標を認識する過程を図示した平面図であり、これを参照してタッチパネル１００がタッチ座標を認識する過程を説明すると次のとおりである。
【００３８】
先ず、電極パターン１１０は、開口部１２０を基準に一側に備えられた第１電極パターン１１３と、他側に備えられた第２電極パターン１１５と、で構成される。ここで、開口部１２０は第２方向Ｂに向かう程、第１方向ＡにＮ回移動する構成１２５がＭ回繰り返される。そのため、第１電極パターン１１３は、第２方向Ｂに向かう程、Ｎ回目まで長くなる構成がＭ回繰り返され、第２電極パターン１１５は、第２方向Ｂに向かう程、Ｎ回目まで短くなる構成がＭ回繰り返される。
【００３９】
例えば、図４に図示されたように、開口部１２０は、第２方向Ｂに向かう程、第１方向Ａに５回移動される構成１２５が３回繰り返されてもよく、このような構成１２５に基づき、制御部１４０がタッチ座標を認識する過程を詳細に説明する。
【００４０】
基本的に、制御部１４０は、第２方向Ｂに向かって順に電極パターン１１０のタッチ有無を判断する。具体的に、制御部１４０は、第２方向Ｂに向かって順に第１電極パターン１１３にタッチの入力時のデータ値を「１」と、タッチの非入力時のデータ値を「０」と判断し、左側から右側に５個のデータ値からなる第１単位データを３個算出する。従って、図示されたように、タッチＴが入力されると、３個の第１単位データは、＜（００１１１）（００１１１）（０００００）＞となる。また、制御部１４０は、第２方向Ｂに向かって順に第２電極パターン１１５にタッチの入力時のデータ値を「１」と、タッチの非入力時のデータ値を「０」と判断し、左側から右側に５個のデータ値からなる第２単位データを３個算出する。従って、図示されたようにタッチＴが入力されると、３個の第２単位データは、＜（０００００）（１１１００）（１００００）＞となる。
【００４１】
制御部１４０は、算出したＭ個の第１単位データとＭ個の第２単位データに基づき、タッチＴの第１方向Ａの座標及び第２方向Ｂの座標を認識することができる。
【００４２】
制御部１４０がタッチＴの第２方向Ｂの座標を認識するためには、まずＭ個の第１単位データとＭ個の第２単位データのうち互いに対応する位置のデータ値（左側から順序が同一のデータ値）を比較する。具体的に、制御部１４０は、互いに対応する位置のデータ値のうち少なくとも一つが「１」である場合、データ値を「１」と判断し、全てが「０」である場合、データ値を「０」と判断し、左側から右側に５個のデータ値からなる第３単位データを３個算出する。ここで、３個の第１単位データは、＜（００１１１）（００１１１）（０００００）＞であり、３個の第２単位データは、＜（０００００）（１１１００）（１００００）＞であるため、３個の第３単位データは、＜（００１１１）（１１１１１）（１００００）＞となる。ここで、３個の第３単位データのデータ値のうち「１」の中間位置によりタッチＴの第２方向Ｂの座標を認識することができる。実際、３個の第３単位データは、＜（００１１１）（１１１１１）（１００００）＞であり、このうち「１」の中間位置は７番目であるため、タッチＴの第２方向Ｂの座標を７と認識することができる。
【００４３】
一方、制御部１４０がタッチＴの第１方向Ａの座標を認識するためには、まずそれぞれの第１単位データのうち互いに対応する位置のデータ値（左側から順序が同一のデータ値）を比較する。具体的に、制御部１４０は、互いに対応する位置のデータ値のうち少なくとも一つが「１」である場合、データ値を「１」と判断し、全てが「０」である場合、データ値を「０」と判断し、左側から右側に５個のデータ値からなる第４単位データを算出する。実際、３個の第１単位データは、＜（００１１１）（００１１１）（０００００）＞であるため、第４単位データは＜００１１１＞となる。
【００４４】
また、それぞれの第２単位データのうち互いに対応する位置のデータ値（左側から順序が同一のデータ値）を比較する。具体的に、制御部１４０は、互いに対応する位置のデータ値のうち少なくとも一つが「１」である場合、データ値を「１」と判断し、全てが「０」である場合、データ値を「０」と判断し、左側から右側に５個のデータ値からなる第５単位データを算出する。実際、３個の第２単位データは、＜（０００００）（１１１００）（１００００）＞であるため、第５単位データは＜１１１００＞となる。
【００４５】
その後、第４単位データのデータ値のうち左側から「０」の個数と、第５単位データのデータ値のうち左側から「１」の個数とに基づき、タッチＴの第１方向Ａの座標を認識することができる。具体的に、第４単位データのデータ値のうち左側から「０」の個数に、所定値（例えば０．５）を加えてＹ１を算出し、第５単位データのデータ値のうち左側から「１」の個数に、所定値（例えば０．５）を加えてＹ２を算出した後、Ｙ１とＹ２の平均値を計算する。実際、第４単位データのデータ値（＜００１１１＞）のうち左側から「０」の個数は２であるため、Ｙ１は２＋０．５＝２．５となり、第５単位データのデータ値（＜１１１００＞）のうち左側から「１」の個数は３であるため、Ｙ２は３＋０．５＝３．５となる。結果、Ｙ１とＹ２の平均値は（２．５＋３．５）／２＝３となり、タッチＴの第１方向Ａの座標を３と認識することができる。
【００４６】
但し、前記所定値を０．５と定義することは例示に過ぎず、所定値は、タッチパネル１００の設計に応じて変更することができることは言うまでもない。
【００４７】
一方、図５Ａ〜図５Ｃは、本発明の好ましい実施例によるタッチパネルがタッチの座標を認識する過程をさらに図示した平面図であり、これを参照してタッチパネル１００がタッチ座標を認識する過程をより具体的に説明すると次のとおりである。
【００４８】
まず、図５Ａに図示されたように、タッチＴ１が入力されると、３個の第１単位データは、＜（０００１１）（０００１１）（０００００）＞となり、３個の第２単位データは、＜（００１１０）（１１１１０）（１００００）＞となる。従って、３個の第３単位データは、＜（００１１１）（１１１１１）（１００００）＞となり、このうち「１」の中間位置は７番目であるため、タッチＴ１の第２方向Ｂの座標を７と認識することができる。一方、第４単位データは＜０００１１＞となり、Ｙ１は３．５であり、第５単位データは＜１１１１０＞となり、Ｙ２は４．５である。結果、Ｙ１とＹ２の平均値は（３．５＋４．５）／２＝４となり、タッチＴ１の第１方向Ａの座標を４と認識することができる。
【００４９】
次に、図５Ｂに図示されたように、タッチＴ２が入力されると、３個の第１単位データは、＜（００００１）（０００１１）（０００００）＞となり、３個の第２単位データは、＜（０００００）（１１１００）（１００００）＞となる。従って、３個の第３単位データは、＜（００００１）（１１１１１）（１００００）＞となり、このうち「１」の中間位置は８番目であるため、タッチＴ２の第２方向Ｂの座標を８と認識することができる。一方、第４単位データは＜０００１１＞となり、Ｙ１は３．５であり、第５単位データは＜１１１００＞となり、Ｙ２は３．５である。結果、Ｙ１とＹ２の平均値は、（３．５＋３．５）／２＝３．５となり、タッチＴ２の第１方向Ａの座標を３．５と認識することができる。
【００５０】
次に、図５Ｃに図示されたようにタッチＴ３が入力されると、３個の第１単位データは、＜（０００１１）（０１１１１）（０００００）＞となり、３個の第２単位データは、＜（０００００）（１１１００）（１００００）＞となる。従って、３個の第３単位データは、＜（０００１１）（１１１１１）（１００００）＞となり、このうち「１」の中間位置は７．５番目であるため、タッチＴ３の第２方向Ｂの座標を７．５と認識することができる。一方、第４単位データは＜０１１１１＞となり、Ｙ１は１．５であり、第５単位データは＜１１１００＞となり、Ｙ２は３．５である。結果、Ｙ１とＹ２の平均値は（１．５＋３．５）／２＝２．５となり、タッチＴ３の第１方向Ａの座標を２．５と認識することができる。
【００５１】
このように、開口部１２０が第２方向Ｂに向かう程、第１方向Ａに５回移動される構成１２５（図４参照）が３回繰り返されると、第１方向Ａの座標は０．５単位で０．５から５．５まで１１個になることができる。但し、このような開口部１２０の構成１２５は例示に過ぎず、電極パターン１１０と開口部１２０の個数を調節して、タッチの座標の個数を調節することができ、それによってタッチパネル１００の感度を制御することができる。
【００５２】
以上、本発明を好ましい実施例に基づいて詳細に説明したが、これは本発明を具体的に説明するためのものであり、本発明によるタッチパネルは、これに限定されず、該当分野における通常の知識を有する者である場合、本発明の技術的思想内にての変形や改良が可能であることは明白であろう。
【００５３】
本発明の単純な変形乃至変更はいずれも本発明の領域に属するものであり、本発明の具体的な保護範囲は添付の特許請求の範囲により明確になるであろう。
【産業上の利用可能性】
【００５４】
本発明は、製造コストを節約し、製造工程を単純化することができるとともに、厚さを減少させて薄型化を具現することができるタッチパネルに適用可能である。
【符号の説明】
【００５５】
１００  タッチパネル
１１０  電極パターン
１１３  第１電極パターン    
１１５  第２電極パターン
１１６  直線
１１７  第１直線
１１８  第２直線
１１９  ジグザグ形の線
１２０  開口部
１２５  開口部がＮ回移動する構成（構成）
１３０  透明基板
１４０  制御部
１４３  第１制御部
１４５  第２制御部
１５０  電極配線
１５３  第１電極配線
１５５  第２電極配線
Ａ  第１方向
Ｂ  第２方向
Ｔ、Ｔ１、Ｔ２、Ｔ３  タッチ
【図１】
2013089231.tif 000003
【図２】
2013089231.tif 000004
【図３Ａ】
2013089231.tif 000005
【図３Ｂ】
2013089231.tif 000006
【図３Ｃ】
2013089231.tif 000007
【図４】
2013089231.tif 000008
【図５Ａ】
2013089231.tif 000009
【図５Ｂ】
2013089231.tif 000010
【図５Ｃ】
2013089231.tif 000011